(57)【要約】  【課題】  複数枚のフィルタ材を備えたものにおいて、フィルタ材を渦巻き状に配置した構成に比べて、濾過の目的に合致した高機能なバッグフィルタを簡単かつ安価に提供できるようにする。  【解決手段】  内側バッグフィルタ２を構成する１枚で作られた内側フィルタ材４と、外側バッグフィルタ３を構成する１枚で作られた外側フィルタ材５とを繋ぎ合わせて構成してあり、下端が閉じられた状態となった１枚の内側バッグフィルタ２の上部域で内側バッグフィルタ２の内面６が外面７となり、内側バッグフィルタ２を外側から覆うように折り返されており、その折り返されたフィルタの下端を閉じることによって外側バッグフィルタ３が形成されている。【選択図】  図１
2005177616.tif 000002
【特許請求の範囲】
【請求項１】
内側バッグフィルタの外側を外側バッグフィルタが覆うように構成された２枚構成のバックフィルタにおいて、下端が閉じられた状態となった１枚の内側フィルタバックの上部域でフィルタ内面が外面になり、内側バックフィルタを外側から覆うように折り返されており、その折り返されたフィルタの下端を閉じることによって外側バックフィルタが形成されていることを特徴とする、バックフィルタ。
【請求項２】
内側バックフィルタの外側を外側バックフィルタが覆うように構成された少なくとも２枚構成のバックフィルタにおいて、内側バックフィルタを構成する少なくとも１枚で作られた内側フィルタ材と、外側バックフィルタを構成する少なくとも１枚で作られた外側フィルタ材とを繋ぎ合わせて構成してあり、
下端が閉じられた状態となった少なくとも１枚の内側バックフィルタの上部域で内側バックフィルタの内面が外面となり、内側バックフィルタを外側から覆うように折り返されており、その折り返されたフィルタの下端を閉じることによって外側バックフィルタが形成されていることを特徴とする、バックフィルタ。
【請求項３】
請求項１ないし請求項２のいずれか一項に記載のバックフィルタにおいて、内側フィルタ材と外側フィルタ材の少なくとも１枚がフィルタ特性上、異なる特性となっている、バックフィルタ。
【請求項４】
請求項１ないし請求項３のいずれか一項に記載のバックフィルタにおいて、内側バックフィルタよりも外側バックフィルタのフィルタが濾過の目において密である、バックフィルタ。
【請求項５】
請求項１ないし請求項４のいずれか一項に記載のバックフィルタにおいて、前記折り返し位置近くにフィルタ取付具が位置させてある、バックフィルタ。
【請求項６】
請求項１ないし請求項５のいずれか一項に記載のバックフィルタにおいて、内側バックフィルタ、外側バックフィルタの少なくとも一方に開閉自在手段を設けた、バックフィルタ。
【請求項７】
請求項６に記載のバックフィルタにおいて、前記開閉自在手段が内側バックフィルタにのみ設けられている、バックフィルタ。
【請求項８】
請求項５ないし請求項７のいずれか一項に記載のバックフィルタにおいて、フィルタ取付具がフィルタバック面から着脱自在に固定されている、バックフィルタ。
【請求項９】
請求項２ないし請求項８のいずれか一項に記載のバックフィルタにおいて、内側フィルタ材と外側フィルタ材との繋ぎ合わせ位置にフィルタ端部環状片を形成して、そのフィルタ端部環状片をフィルタ取付具の支持手段として使用した、バックフィルタ。
【請求項１０】
請求項１ないし請求項９のいずれか一項に記載のバックフィルタにおいて、バックフィルタ底部域を所定形状に裁断し、その所定形状の周縁部に開閉自在手段の一方側係合部を固着させ、バックフィルタ材と同じフィルタ材で前記一方側係合部に対応するように周縁部に開閉自在手段の他方側係合部を固着させた当て部を用意し、開閉自在手段の一方側係合部と他方側係合部とを係合させることにより、前記当て部をフィルタバック底部域に着脱自在に取り付けた、バックフィルタ。
【請求項１１】
請求項１ないし請求項１０のいずれか一項に記載のバックフィルタにおいて、フィルタ取付具周りを１枚のみのフィルタ材で覆った、バックフィルタ。
【請求項１２】
折り返しを見込んだ細長い筒形のバックフィルタ基材を作成するバックフィルタ基材作成工程と、一端側のバックフィルタ基材の内面が他端側ではバックフィルタ基材の外面となって覆うように折り返す折り返し工程と、バックフィルタ基材の一端側を閉じた状態にする一端側閉底工程と、バックフィルタ基材の他端側を閉じた状態にする他端側閉底工程と、を含んで内側バックフィルタの外側を外側バックフィルタが覆うように２枚構成のバックフィルタを作ることを特徴とする、バックフィルタ製造方法。
【請求項１３】
フィルタ機能の異なる複数のフィルタ材を繋ぎ合わせて、折り返しを見込んだ細長い筒形のバックフィルタ基材を作成するバックフィルタ基材作成工程と、一端側のバックフィルタ基材の内面が他端側ではバックフィルタ基材の外面となって覆うように前記異なるフィルタ材の繋ぎ合わせに対応して折り返す折り返し工程と、バックフィルタ基材の一端側を閉じた状態にする一端側閉底工程と、バックフィルタ基材の他端側を閉じた状態にする一端側閉底工程と、を含んで内側バックフィルタの外側を異なるフィルタ機能の外側バックフィルタが覆うように少なくとも２枚構成のバックフィルタを作ることを特徴とする、バックフィルタ製造方法。
【請求項１４】
請求項１２ないし請求項１３のいずれか一項に記載のバックフィルタ製造方法において、前記折り返し位置近くにフィルタ取付具を位置させる工程をさらに含む、バックフィルタ製造方法。
【請求項１５】
請求項１２ないし請求項１４のいずれか一項に記載のバックフィルタ製造方法において、さらに、内側バックフィルタ、外側バックフィルタの少なくとも一方に開閉自在手段を設ける工程を含む、バックフィルタ製造方法。
【請求項１６】
請求項１２ないし請求項１５のいずれか一項に記載のバックフィルタ製造方法において、さらに、フィルタ取付具をフィルタバック面から着脱自在に固定する工程を含む、バックフィルタ製造方法。
【発明の詳細な説明】
【技術分野】
【０００１】
本発明はバッグフィルタ及びその製造方法に関し、特に複数枚のフィルタ材を備えたバッグフィルタ及びバッグフィルタ製造方法に関する。
【背景技術】
【０００２】
従来、筒形のフィルタ材（濾過材）を配置し、ガス，液体などの流体から物質、成分を濾過し分離するフィルタ装置として、特許文献１に開示された技術がある。
この特許文献１は、図１２に示すように、バグフィルタ４０と、該バグフィルタ４０の内側に設けられたバグフィルタ変形防止用ケージ４１と、そのバグフィルタ変形防止用ケージ４１の内側に配置された板状触媒（例えば、脱硝触媒）４２とで構成されている。板状触媒４２は、渦巻き状に巻いた状態に成形された後、バグフィルタ４０の内側に配置される。
板状触媒４２は、ある程度の剛性を持たせた触媒基材に、所定の脱硝活性成分として含むスラリをその触媒基材の編み目またはラス目が閉塞しないようにコーティングしたものである。
【０００３】
下部が閉じられたバッグフィルタ（図示せず）の内部に液体などを濾過する複数枚のフィルタ材を収容する場合も、図１２に示すように渦巻き状のフィルタ材をバッグフィルタ内に配置する構成が採用されることが多い。
【０００４】
【特許文献１】特開昭１１−１９４７７「排ガス浄化装置およびこれを用いた排ガス浄化方法」
【発明の開示】
【発明が解決しようとする課題】
【０００５】
しかしながら、上記従来技術であれば下記のような課題がある。
（Ａ）渦巻き状のフィルタ材を有する上記構成では、フィルタ材の上部にＯリングや支持枠などのフィルタ取付具を取り付けるための製造工程が複雑になる。
（Ｂ）単純にバッグフィルタの中にフィルタ材を渦巻き状に配置する構成では、バッグフィルタの内側から、第１フィルタ材、第２フィルタ材、……、第ｎフィルタ材というように性質・機能の異なる複数のフィルタ材を外側に向けて順々に配置することが難しく、濾過の目的に合致した高機能なバッグフィルタを構成することが困難である。
【０００６】
（Ｃ）一般に、渦巻き状のフィルタ材を有するバックフィルタはフィルタ材を洗浄することが難しい。
（Ｅ）特に、渦巻き状のフィルタ材を有するバックフィルタに前記フィルタ取付具を取り付けたバッグフィルタであれば、濾過後の洗浄を行うことは極めて難しい。これは、フィルタ材にフィルタ取付具が取り付けられたままの状態では攪拌による洗浄を行いづらいからである。また、洗浄によってフィルタ取付具が変形又は破損する虞もある。
【０００７】
本発明は上記課題に鑑みてなされたものであり、本発明の目的は、上記課題を解決できる、バッグフィルタ及びバッグフィルタ製造方法を提供することにある。
具体的な目的の一例を示すと、以下の通りである。
（ａ）フィルタ材の上部にフィルタ取付具を設けたバッグフィルタであっても、その製造工程を簡単にできるようにする。
（ｂ）複数枚のフィルタ材を備えたものにおいて、フィルタ材を渦巻き状に配置した構成に比べて、濾過の目的に合致した高機能なバッグフィルタを簡単かつ安価に提供できるようにする。
（ｃ）複数枚のフィルタ材を設けたバッグフィルタであっても、洗浄を簡単かつ良好に行えるバッグフィルタを提供する。
（ｄ）フィルタ取付具を備えたバッグフィルタであっても良好に洗浄が行えるとともに、洗浄に際してフィルタ取付具が変形又は破損することをなくせるようにする。
なお、上記に記載した以外の発明の課題及びその解決手段は、後述する明細書内の記載において詳しく説明する。
【課題を解決するための手段】
【０００８】
本発明はフィルタとしての物の発明、フィルタ製造方法の発明のみならず、多面的に表現できるが、例えば、代表的なものを挙げると、次のように構成したものである。
第１発明のバッグフィルタは、内側バッグフィルタの外側を外側バッグフィルタが覆うように構成された２枚構成のバッグフィルタにおいて、下端が閉じられた状態となった１枚の内側フィルタバックの上部域でフィルタ内面が外面になり、内側バッグフィルタを外側から覆うように折り返されており、その折り返されたフィルタの下端を閉じることによって外側バッグフィルタが形成されていることを特徴とする。
【０００９】
第２発明は、内側バッグフィルタの外側を外側バッグフィルタが覆うように構成された少なくとも２枚構成のバッグフィルタにおいて、内側バッグフィルタを構成する少なくとも１枚で作られた内側フィルタ材と、外側バッグフィルタを構成する少なくとも１枚で作られた外側フィルタ材とを繋ぎ合わせて構成してあり、
下端が閉じられた状態となった少なくとも１枚の内側バッグフィルタの上部域で内側バッグフィルタの内面が外面となり、内側バッグフィルタを外側から覆うように折り返されており、その折り返されたフィルタの下端を閉じることによって外側バッグフィルタが形成されていることを特徴とする。
【００１０】
第３発明は、第１発明ないし第２発明のいずれか一つに記載の発明において、内側フィルタ材と外側フィルタ材の少なくとも１枚がフィルタ特性上、異なる特性となっていることを特徴とする。
第４発明は、第１発明ないし第３発明のいずれか一つに記載の発明において、内側バッグフィルタよりも外側バッグフィルタのフィルタが濾過の目において密であることを特徴とする。
【００１１】
第５発明は、第１発明ないし第４発明のいずれか一つに記載の発明において、前記折り返し位置近くにフィルタ取付具が位置させてあることを特徴とする。
第６発明は、第１発明ないし第５発明のいずれか一つに記載の発明において、内側バッグフィルタ、外側バッグフィルタの少なくとも一方に開閉自在手段を設けたことを特徴とする。
【００１２】
第７発明は、第６発明に記載の発明において、前記開閉自在手段が内側バッグフィルタにのみ設けられていることを特徴とする。
第８発明は、第５発明ないし第７発明のいずれか一つに記載の発明において、フィルタ取付具がフィルタバック面から着脱自在に固定されていることを特徴とする。
【００１３】
第９発明は、第２発明ないし第８発明のいずれか一つに記載の発明において、内側フィルタ材と外側フィルタ材との繋ぎ合わせ位置にフィルタ端部環状片を形成して、そのフィルタ端部環状片をフィルタ取付具の支持手段として使用したことを特徴とする。
【００１４】
第１０発明は、第１発明ないし第９発明のいずれか一つに記載の発明において、バッグフィルタ底部域を所定形状に裁断し、その所定形状の周縁部に開閉自在手段の一方側係合部を固着させ、バッグフィルタ材と同じフィルタ材で前記一方側係合部に対応するように周縁部に開閉自在手段の他方側係合部を固着させた当て部を用意し、開閉自在手段の一方側係合部と他方側係合部とを係合させることにより、前記当て部をフィルタバック底部域に着脱自在に取り付けたことを特徴とする。
第１１発明は、第１発明ないし第１０発明のいずれか一つに記載の発明において、フィルタ取付具周りを１枚のみのフィルタ材で覆ったことを特徴とする。
【００１５】
第１２発明のバックフィルタ製造方法は、折り返しを見込んだ細長い筒形のバックフィルタ基材を作成するバックフィルタ基材作成工程と、一端側のバッグフィルタ基材の内面が他端側ではバッグフィルタ基材の外面となって覆うように折り返す折り返し工程と、バッグフィルタ基材の一端側を閉じた状態にする一端側閉底工程と、バッグフィルタ基材の他端側を閉じた状態にする他端側閉底工程と、を含んで内側バッグフィルタの外側を外側バックフィルタが覆うように２枚構成のバッグフィルタを作ることを特徴とする。
【００１６】
第１３発明のバックフィルタ製造方法は、フィルタ機能の異なる複数のフィルタ材を繋ぎ合わせて、折り返しを見込んだ細長い筒形のバックフィルタ基材を作成するバックフィルタ基材作成工程と、一端側のバッグフィルタ基材の内面が他端側ではバッグフィルタ基材の外面となって覆うように前記異なるフィルタ材の繋ぎ合わせに対応して折り返す折り返し工程と、バッグフィルタ基材の一端側を閉じた状態にする一端側閉底工程と、バッグフィルタ基材の他端側を閉じた状態にする一端側閉底工程と、を含んで内側バッグフィルタの外側を異なるフィルタ機能の外側バックフィルタが覆うように少なくとも２枚構成のバッグフィルタを作ることを特徴とする。
【００１７】
第１４発明は、第１２発明ないし第１３発明のいずれか一つに記載の発明において、前記折り返し位置近くにフィルタ取付具を位置させる工程をさらに含むことを特徴とする。
第１５発明は、第１２発明ないし第１４発明のいずれか一つに記載の発明において、さらに、内側バッグフィルタ、外側バッグフィルタの少なくとも一方に開閉自在手段を設ける工程を含むことを特徴とする。
【００１８】
第１６発明は、第１２発明ないし第１５発明のいずれか一つに記載の発明において、さらに、フィルタ取付具をフィルタバック面から着脱自在に固定する工程を含むことを特徴とする。
【００１９】
以下、上記第１発明〜第１６発明の各構成について説明する。
第１発明及び第２発明において、「下端が閉じられた状態」とは、下端が熱シールなどによって閉じられた場合だけでなく、紐で括られたり、底部域を折り返したりして実質的にフィルタ材として機能できるように閉じられている場合も含む。
第１発明及び第２発明において、「１枚」とは折り返しの取り扱いにおいて１枚と見なせる場合を意味し、１枚のフィルタ材が予め行われた抄造工程や貼り合わせ工程によって複数層構成になっている場合も「１枚」に含める概念で使用している。
【００２０】
なお、第１発明において１枚のフィルタ材を用いて内側バックフィルタ、外側バックフィルタを作ることを想定しているが、内側バッグフィルタ、外側バックフィルタとなる部分の性質・機能が異なっていることを除外するものではない。例えば、外側バックフィルタとなるフィルタ材の一部分のフィルタ特性を後処理により内側バックフィルタとなる部分のフィルタ特定と異ならせることも可能である。
第１発明において、バッグフィルタの形状は筒形であることが一般的であるが、その他の形状であることを除外するものではない。
【００２１】
第２発明において、「少なくとも２枚構成」とは、フィルタ材として折り返しの取り扱いにおいて２枚以上であることを意味し、前述したように各枚がそれぞれ複数層構成になっている場合を含むものである。
なお、内側バックフィルタの枚数と外側バッグフィルタの枚数は異なっても良い。
第３発明において、「フィルタ特性上、異なる特性」には、濾過の目の粗密、フィルタ材質、濾過し分離できる物質、成分などの違いが含まれる。
【００２２】
第４発明において、バッグフィルタが２枚以上のフィルタ材によって作られているときは、最外面のフィルタ材の濾過の目を最も密に構成することが好ましい。
第５発明において、「フィルタ取付具」とは、バッグフィルタをフィルタ装置の基体などに取り付けるための部材を言い、Ｏリング、支持枠などを含む概念として使用している。
フィルタ取付具は、一般に円形、四角形などの筒形に構成されることが多い。
【００２３】
第６発明において、「開閉自在手段」としては、雄型係合部と雌型係合部とを面状に配置したマジックテープ（登録商標）のような着脱自在の係合部材や、ジッパーなどが例示できる。
開閉自在手段はバッグフィルタの底部域に設けられる構成が一般的であるが、バッグフィルタの側面に上下方向に延びるように設ける構成を除外するものではない。
【００２４】
第８発明において、フィルタ取付具を着脱自在に固定する構成としては、第９発明に記載された構成の他、マジックテープを用いる構成などを採用することができる。
第１２発明および第１３発明において、バックフィルタ基材作成工程、折り返し工程、一端側閉底工程、他端側閉底工程は、複数枚構成のバックフィルタが製造できれば、各工程が時間の経過においてどの順序で行われてもよい。
また、図１０、図１１において説明するようにバックフィルタ基材作成工程と、一端側閉底工程及び／又は他端側閉底工程とを工程的に一度に行うことも可能である。
【発明の効果】
【００２５】
以下、各発明の効果などについて説明する。
第１発明であれば、内側バッグフィルタの外側に外側バックフィルタを配置する場合に、内側バックフィルタの上部域を折り返すことにより外側バックフィルタを構成しているので、２枚構成のバッグフィルタを簡単かつ安価に製造することができる。
第２発明であれば、内側バッグフィルタの外側に外側バックフィルタを配置する場合に、少なくとも１枚構成の内側バックフィルタの上部域を折り返すことにより外側バックフィルタを構成しているので、少なくとも２枚構成のバッグフィルタを簡単かつ安価に製造することができる。
【００２６】
第３発明であれば、内側フィルタ材と外側フィルタ材の少なくとも１枚がフィルタ特性上、異なる特性となっているので、内側バッグフィルタと外側バックフィルタとで、そのフィルタ機能をその濾過の目的に応じて変えることができるので、高機能のバックフィルタを構成することができる。
第４発明であれば、内側バッグフィルタよりも外側バッグフィルタのフィルタが濾過の目において密であるので、目詰まりを抑えて濾過の性能を向上させることができる。
【００２７】
第５発明であれば、前記折り返し位置近くにフィルタ取付具が位置させてあるので、フィルタ装置の基体などに簡単にバッグフィルタを支持、取り付けることが可能になる。
第６発明であれば、内側バッグフィルタ、外側バッグフィルタの少なくとも一方に開閉自在手段を設けたので、開閉自在手段を開いた状態にすることにより、折り返しを解くことが可能になり、開閉自在手段がない構成のバッグフィルタに比べてバッグフィルタの分解、洗浄を行いやすくなる。また、開閉自在手段を開いた状態にすることにより、フィルタバックの底部域に溜った濾過された物質などを簡単に除去できることになる。
【００２８】
第７発明であれば、前記開閉自在手段が内側バッグフィルタにのみ設けられているので、内側バッグフィルタの底部域に溜った濾過された物質等を簡単に取り除くことが可能になる。
第８発明であれば、フィルタ取付具がフィルタバック面から着脱自在に固定されているので、バッグフィルタを洗浄して再び用いる場合にフィルタ取付具をフィルタ材から取り外すことが可能になるので、洗浄するときにフィルタ材を洗浄しやすく、フィルタ取付具を洗浄により変形又は破損させる虞がなくなる。
また、洗浄しない場合でもフィルタ取付具を取り外すことができるので、必要に応じてフィルタ取付具を回収、再利用できるとともに、濾過された物質の除去やフィルタ材の廃棄処理が効率的に行えるという利点がある。
【００２９】
第９発明であれば、内側フィルタ材と外側フィルタ材との繋ぎ合わせ位置にフィルタ端部環状片を形成して、そのフィルタ端部環状片をフィルタ取付具の支持手段として使用したので、縫合やシールなどによって内側バッグフィルタ材と外側バックフィルタ材とを繋ぎ合わせた場合に生じやすいフィルタ端部環状片を積極的にフィルタ取付具の支持手段として利用することができるので、簡単かつ安価にバッグフィルタを構成することができる。
【００３０】
第１０発明であれば、互いの周縁部が重なるように係合することになるので、バックフィルタの内部に流体を流したときに流体が濾過されることよる周縁部に作用する引き離す方向の力を小さくすることができ、万一、大きな圧力がかかった場合でもバッグフィルタの使用時の当て部の離脱を抑制することができる。
第１１発明であれば、フィルタ取付具とフィルタ装置の基体とのシール性を向上させることができる。
【００３１】
第１２発明であれば、折り返し工程を設けたので、フィルタ層を渦巻き状に配置した構成に比べて濾過の目的に合致した高機能な２枚構成のバッグフィルタを安価に製造できる。
第１３発明であれば、折り返し工程を設けたので、フィルタ層を渦巻き状に配置した構成に比べて濾過の目的に合致した高機能な少なくとも２枚構成のバッグフィルタを安価に製造できる。
【００３２】
第１４発明であれば、前記折り返し位置近くにフィルタ取付具を位置させることができるので、フィルタ装置の基体などに簡単にバッグフィルタを支持、取り付けることが可能になる。また、渦巻き状にフィルタ材を配置する構成に比べて製造工程を簡単にできる。
【００３３】
第１５発明であれば、開閉自在手段がない構成のバッグフィルタに比べてバッグフィルタの分解、洗浄を行いやすくなる。また、開閉自在手段を開いた状態にすることにより、フィルタバックの底部域に溜った濾過された物質などを簡単に除去できることになる。
【００３４】
第１６発明であれば、洗浄するときにフィルタ材を洗浄しやすく、フィルタ取付具を洗浄により変形・破損させる虞がなくなる。また、洗浄しない場合でもフィルタ取付具を取り外すことができるので、必要に応じてフィルタ取付具を回収、再利用できるとともに、濾過された物質の除去やフィルタ材の廃棄処理が効率的に行えるという利点がある。
【発明を実施するための最良の形態】
【００３５】
以下、本発明の実施の形態を図面に基づき説明する。
図１は第１実施形態に係る２枚構成のバッグフィルタを説明するための図であり、図１（Ａ）はバッグフィルタの正面図、図１（Ｂ）はその平面図、図１（Ｃ）はその縦断面図である。
このバッグフィルタ１は、内側バッグフィルタ２の外側を外側バッグフィルタ３が覆うように構成された２枚構成のバッグフィルタである。内側バッグフィルタ２を構成する１枚で作られた内側フィルタ材４と、外側バッグフィルタ３を構成する１枚で作られた外側フィルタ材５とを繋ぎ合わせ位置２１で繋ぎ合わせて構成してあり、下端が閉じられた状態となった１枚の内側バッグフィルタ２の上部域で内側バッグフィルタ２の内面６が外面７となり、内側バッグフィルタ２を外側から覆うように折り返されており、その折り返されたフィルタの下端を閉じることによって外側バッグフィルタ３が形成されている。
【００３６】
筒形の内側バッグフィルタ２の下端、筒形の外側バッグフィルタ３の下端はそれぞれ三角形状に裁断されており、それらの下端を熱シール加工などの方法によって閉じた状態にすることによりそれぞれバッグ状に構成してある。
この実施形態では、内側フィルタ材４と外側フィルタ材５の繋ぎ合わせや、内側フィルタ材４と外側フィルタ材５をそれぞれ筒形にする接合部（図示せず）の形成も熱シール加工によって行われている。
また、繋ぎ合わせ位置２１の近くに、前記フィルタ取付具９としてのＯリング１０が設けられ、そのＯリング１０を巻き込み、内側バッグフィルタ２を外側から覆うように外側バッグフィルタ３が構成してある。
【００３７】
さらに、前記第９発明に記載したように、内側フィルタ材４と外側フィルタ材５との繋ぎ合わせ位置２１に内側フィルタ材４のフィルタ端部環状片１１を形成して、そのフィルタ端部環状片１１をＯリング１０の支持手段として使用している。このフィルタ端部環状片１１は単にＯリング１０を支持しているだけなので、バッグフィルタ１の分解時には、Ｏリング１０は内側フィルタ材４、外側フィルタ材５から簡単に取り外すことができる。
バッグフィルタ１を使用するときは、図示しないフィルタ装置の基体にＯリング１０を取り付けることにより固定し、円形の開口１２から流体をバッグフィルタ１内に流して、内側バッグフィルタ２と外側バッグフィルタ３を通過させることにより行う。一般的には、外側フィルタ材５のフィルタの目の粗さは、内側フィルタ材４のフィルタの目の粗さに比べて密にする。また、内側フィルタ材４と外側フィルタ材５の機能を変えることにより、より目的に合致した濾過を達成できる。例えば、内側フィルタ材４を液体内に含まれるある物質の濾過に適した材質とし、外側フィルタ材５を液体内に含まれる他の物質の濾過に適した材質とするような場合である。
【００３８】
（第２実施形態）
図２は第２実施形態に係るバッグフィルタの縦断面図である。
この第２実施形態は、第１実施形態の内側フィルタ材４と外側フィルタ材５を同じフィルタ材１３で構成したもので、繋ぎ合わせが必要のないものである。内側バッグフィルタ２と外側バッグフィルタ３は同じフィルタ材１３となり、２枚構成のバッグフィルタ１となる。このバッグフィルタ１であればフィルタ材が１重の構成に比べて、フィルタ材が２重になっているので、同じ濾過機能を実現する場合において濾過の信頼性を向上させることができる。
なお、この構成であれば、繋ぎ合わせがないので、バッグフィルタ１の上部域にフィルタ取付具９をフィルタ材１３に固定する固定部材２２が必要になる。
【００３９】
（第３実施形態）
図３は第３実施形態に係るバッグフィルタの一例の縦断面図である。
この第３実施形態は、上記第２発明の一例であり、内側バッグフィルタ２の外側を外側バッグフィルタ３が覆うように構成された４枚構成のバッグフィルタ１である。内側バッグフィルタ２を構成する３枚で作られた内側フィルタ材４（４ａ，４ｂ，４ｃ）と、外側バッグフィルタ３を構成する１枚で作られた外側フィルタ材５とを繋ぎ合わせて構成してあり、下端が閉じられた状態となった３枚の内側バッグフィルタ２の上部域で内側バッグフィルタ２の内面６が外面７となり、内側バッグフィルタ２を外側から覆うように折り返されており、その折り返された外側フィルタ材５の下端を閉じることによって外側バッグフィルタ３が形成されている構成となっている。
Ｏリング１０をフィルタ材に支持させるためにフィルタ端部環状片１１を使用するのは第１実施形態と同様である。
【００４０】
上記第１実施形態〜第３実施形態で説明したように、前記した第１発明、第２発明は、どのような製造方法であっても、結果的に第１発明、第２発明で説明した２枚以上の複枚構造のバッグフィルタが形成されていれば該当するものである。
【００４１】
（第４実施形態）
図４（Ａ）〜（Ｅ）はそれぞれ第４実施形態に係る２枚構成のバッグフィルタ製造方法を説明するための図である。
このバックフィルタ製造方法は、前記第２実施形態において説明した内側バッグフィルタと外側バッグフィルタのフィルタ材が同じで、１枚のフィルタ材を用いるバッグフィルタを製造する方法の一例を示したものである。
【００４２】
まず、図４（Ａ）に示すように濾紙、不織布などの四角形のフィルタ材１５を１枚用意し、図４（Ｂ）に示すようにその四角形のフィルタ材１５に接合部８を形成することにより、筒形のバッグフィルタ基体１６を作成し、図４（Ｃ）に示すように内側バックフィルタの底部となるようにバッグフィルタ基材１６の一端側を熱シール加工等によって閉じた状態にした後、その閉じられた下端部を三角形に裁断する。そして、図４（Ｄ）に断面図で示すように一端側のバッグフィルタ基材１６の内面６が他端側ではバッグフィルタ基材１６の外面７となって覆うように折り返した後、図４（Ｅ）に示すように外側バックフィルタ３の底部となるようにバッグフィルタ基材１６の他端側を閉じた状態にした後、三角形に裁断して２枚構成のバッグフィルタ１を製造する。
【００４３】
この図４に示す構成では、折り返し位置の近くにＯリングは配置されていないが、必要に応じて折り返し位置にＯリングをフィルタ材に装着する工程を設けてもよい。
図５はＯリング１０などのフィルタ取付具９を装着する実施形態を示すもので、図４（Ｃ）に示した状態において、図５（Ａ）に示すようにフィルタ取付具９を固定部材２２とともに折り返し位置の近くに配置し、後は図４（Ｄ）と同様の手順で折り返した後、図５（Ｂ）に示すように外側バックフィルタ３の底部を閉じた状態とし、三角形に裁断することにより２枚構成のバッグフィルタを製造することができる。なお、固定部材２２としては各種のものが挙げられるが、一般的には熱シール材を用いると簡単である。
【００４４】
（第５実施形態）
図６（Ａ）〜（Ｅ）はそれぞれ第５実施形態に係る２枚構成のバッグフィルタ製造方法を説明するための図である。
このバックフィルタ製造方法は、前記第１実施形態に係るバッグフィルタを製造する方法の一例を示したものである。
【００４５】
まず、図６（Ａ）に示すようにフィルタ機能の２種類の粗フィルタ材１８、密フィルタ材１９を中央で繋ぎ合わせて略四角形としたフィルタ材２０を用意し、図６（Ｂ）に示すようにその四角形のフィルタ材２０に接合部８を形成することにより、筒形のバッグフィルタ基体１６を作成し、図６（Ｃ）に断面図で示すように前記繋ぎ合わせ位置２１のフィルタ端部環状片１１に引っ掛かるようにＯリング１０を挿入し、図６（Ｄ）に示すように示すように内側バックフィルタ２となるようにバッグフィルタ基材１６の一端側を三角形に裁断し閉じた状態にするとともに、一端側のバッグフィルタ基材１６の内面６が他端側ではバッグフィルタ基材１６の外面７となって覆うように折り返した後、図６（Ｅ）に示すように外側バックフィルタ３の底部となるようにバッグフィルタ基材１６の他端側を閉じた状態にし、三角形に裁断することにより２枚構成のバッグフィルタ１を製造する。
【００４６】
（第６実施形態）
図７（Ａ）〜（Ｄ）はそれぞれ第６実施形態に係る４枚構成のバッグフィルタ製造方法を説明するための図である。
このバックフィルタ製造方法は、前記４枚構成の第３実施形態に係るバッグフィルタを製造する方法の一例を示したものである。
【００４７】
まず、図７（Ａ）に示すように外側バックフィルタとなる１枚の外側フィルタ材５と内側フィルタとなる３枚の内側フィルタ材４ａ，４ｂ、４ｃとを中央で繋ぎ合わせて略四角形としたフィルタ材２４を用意し、図７（Ｂ）に示すようにその四角形のフィルタ材２４を筒状に接合することにより、筒形のバッグフィルタ基体１６を作成し、図７（Ｃ）に断面図で示すように前記繋ぎ合わせ位置２１のフィルタ端部環状片１１に引っ掛かるようにＯリング１０を挿入し、一端側のバッグフィルタ基材の内面が他端側ではバッグフィルタ基材の外面となって覆うように折り返した後、図７（Ｄ）に示すように外側バックフィルタ２、外側バックフィルタ３の底部となるようにバッグフィルタ基材の一端側、他端側をそれぞれ閉じた状態にした後、三角形に裁断して４枚構成のバッグフィルタ１を製造する。
【００４８】
なお、外側バックフィルタ３となる外側フィルタ材５を１枚にしているのは、第１１発明において説明したように、Ｏリング１０を巻き込むように折り返す場合にＯリング１０の周りに存在するフィルタ材の厚さがあまり厚くなりすぎると、フィルタ取付具とフィルタ装置の基体とのシール性を向上させることが難しいためである。なお、折り返すフィルタ材の厚さが十分薄い場合は、複数枚折り返しても良い。
【００４９】
（第７実施形態）
図８（Ａ）〜（Ｃ）はそれぞれ本発明の第７実施形態に係るバッグフィルタを説明するための図であり、前記した第６発明のバッグフィルタの一例を説明するための図である。
この実施形態では、内側バッグフィルタ２、外側バッグフィルタ３の少なくとも一方の底部域に開閉自在手段としての開閉自在部材２５が設けられた構成となっている。開閉自在部材２５としてはファスナーやマジックテープなどが使用できる。図８（Ａ）（Ｂ）はそれぞれバッグフィルタの内面に設けられたマジックテープを外側から見た図、図８（Ｃ）は図８（Ｂ）のＣ−Ｃ線縦断面図である。
【００５０】
特に、内側バッグフィルタの底部域に開閉自在部材を設けることにより、濾過の初期の段階で内側バッグフィルタに濾過された物質が溜まることにより底部域において濾過される流体の量が極度に減少するので、開閉自在部材が底部域に存在することによる濾過機能に対する悪影響を低減することができる利点がある。なお、内側バッグフィルタの底部域にのみ開閉自在部材を設ける場合は、内側バッグフィルタの内面から開閉できるように構成しておくことが一般的である。
【００５１】
この図面においては示さないが、内側バックフィルタの外側から開閉自在部材を開閉できるように取り付けた場合は、外側バックフィルタにも底部域にバッグフィルタの外側から開閉自在部材を設けることで、外側バッグフィルタの底部を開いた後、内側バックフィルタの底部を開いて分解を行うこともできる。
【００５２】
（第８実施形態）
図９（Ａ）〜（Ｃ）はそれぞれ本発明の第８実施形態に係るバッグフィルタを説明するための図であり、図９（Ａ）はバッグフィルタ底部の正面図、図９（Ｂ）はバッグフィルタ底部側から見た底面図、図９（Ｃ）は図９（Ａ）のＣ−Ｃ線縦断面図である。
【００５３】
この第８実施形態は、前記した当て部を用いる第１０発明の一例を説明するための実施形態である。図９において、バッグフィルタ２，３の底部域を略半円形状に裁断し、その半円形状の周縁部３０にマジックテープ２６の一方側係合部２７を固着させ、バッグフィルタ材と同じフィルタ材で前記一方側係合部２７に対応するように周縁部３１にマジックテープ２６の他方側係合部２８を固着させた帯状の当て部２９を用意し、マジックテープ２６の一方側係合部２７と他方側係合部２８とを係合させることにより、前記当て部２９をフィルタバック２，３の底部域に着脱自在に取り付けた構成となっている。
なお、バッグフィルタの底部域の裁断する形状及び当て部の形状も適宜、その形状を変更することも可能である。
【００５４】
（第９実施形態）
図１０，図１１はそれぞれ本発明に係るバッグフィルタ製造方法の変形例を説明するための図であり、図１０（Ａ）（Ｂ）は円筒形のバックフィルタ基材作成工程と、一端側閉底工程とを工程的に一度に行う製造方法を説明するための図、図１１（Ａ）（Ｂ）はバックフィルタ基材作成工程と、一端側閉底工程と、他端側閉底工程とを工程的に一度に行う製造方法を説明するための図である。
【００５５】
まず、図１０に示す構成では、図１０（Ａ）に示すように２枚のフィルタ材の周縁部を熱シール加工することにより、筒形のバッグフィルタ基材とする工程と、半円状の下端部の周縁部を熱シール加工する工程が工程的にほぼ同時に行われ、半円状の下端部（一端側）を他端部側へ外側に折り返した後、図１０（Ｂ）に示すように外側バックフィルタの下端部を熱シール加工した後に半円状に裁断するようにして製造している。
【００５６】
また、図１１に示す構成では、図１１（Ａ）に示すように２枚のフィルタ材の周縁部を熱シール加工することにより、筒形のバッグフィルタ基材とする工程と、内側バッグフィルタの下端部となる一端側を熱シール加工により閉じた状態にする工程と、外側バッグフィルタの下端部となる他端側を熱シール加工により閉じた状態にする工程とが工程的にほぼ同時に行われる。そして、図１１（Ｂ）に示すように一端側のバッグフィルタ基材の内面が他端側ではバッグフィルタ基材の外面となって覆うように折り返す工程を最後に行うことで、２枚構造のバッグフィルタを製造することができる。
【００５７】
このような折り返しは、図４〜図７に示した外側バッグフィルタ部分を内側バッグフィルタ部分の外側から折り返す方法と、図１１に示すような内側バッグフィルタ部分を外側バッグフィルタ部分の中に入れるように折り返す方法とがあり、いずれの方法を採用しても、結果的にできる２枚構造のバッグフィルタは、下端が閉じられた状態となった内側フィルタバックの上部域でフィルタ内面が外面になり、内側バッグフィルタを外側から覆うように折り返されており、その折り返されたフィルタの下端を閉じることによって外側バッグフィルタが形成されている構成となっている。
【００５８】
（第１０実施形態）
この第１０実施形態は、第１７発明〜第２０発明を説明するためのもので、バッグフィルタに取っ手用の部材を別に用意することなく、簡単かつ安価に取っ手を製造できる技術である。なお、第１７発明〜第２０発明は前記第１発明〜第１６発明とは別の観点からバッグフィルタを改良したものである。
第１７発明のバッグフィルタは、バッグフィルタの開口部域にあるフィルタ材に少なくとも一つの切開部を形成することにより、帯状フィルタ部を形成し、その帯状フィルタ部をバッグフィルタを持ち運ぶ際の取っ手として機能させるようにしたことを特徴とするものである。
【００５９】
第１７発明において、「バッグフィルタの開口部域」とは流体が流入する開口部近くを言い、一般的には、前記したフィルタ取付具がある領域を言う。
「切開部」には、線状に切り込みを入れた形態の他、帯状フィルタ部を残して所定形状（例えば三日月形）の領域を切除する形態も含む意味で用いている。
なお、第１７発明では、帯状フィルタ部の一端側をフィルタ材から分離し、他端側のみで支持する取っ手の形態を除外するものではない。
【００６０】
第１７発明であれば、バッグフィルタの取っ手を作る場合に、フィルタ材自体を取っ手の材料として使用できるので、取っ手を作るために別の帯状部材を用意する必要がなくなるので、製造コストを低減することができる。
第１８発明は、第１７発明に記載の発明において、帯状フィルタ部の両端がフィルタ材から分離されないように前記切開部を形成したことを特徴とするものである。
第１８発明であれば、帯状フィルタ部をバッグフィルタを持ち運ぶ際の取っ手として機能させる場合に、帯状フィルタ部の一方の端部をフィルタ材から分離させないので、帯状フィルタ部は橋形のように両端接続状態を維持するので取っ手として使用しやすく、かつ取っ手の強度を向上させることができる。
【００６１】
第１９発明は、第１７発明ないし第１８発明のいずれか一つに記載の発明において、前記切り込みをバッグフィルタの開口部域に２つ形成し、一対の取っ手を形成したことを特徴とする。
第１９発明であれば、２つの取っ手がフィルタバッグの開口部に存在することになり、取っ手として使い勝手を高めることができる。
【００６２】
第２０発明は、第１７発明ないし第１９発明のいずれか一つに記載の発明において、取っ手の基端部に補強構造を形成したことを特徴とする。
第２０発明において「補強構造」とは、強化用の糸で帯状フィルタ部の周縁部が裂けないように縫った構造や、帯状フィルタ部の周縁部を熱溶融加工する構造などが例示できる。
第２０発明であれば、開口部域のフィルタ材から切開部を形成することにより形成した取っ手であっても補強構造の存在によって取っ手として十分な強度を持たせることができある。
【００６３】
図１３（Ａ）〜（Ｄ）はぞれぞれ第１７発明〜第２０発明の一例を示す図であり、図１３（Ａ）はフィルタバッグの開口部域に２つの線状の切り込みを入れた状態の図、図１３（Ｂ）は帯状フィルタ部を引っ張った状態の図、図１３（Ｃ）は所定の方法でフィルタ取付具を取り付けた状態の斜視図、図１３（Ｄ）はその平面図である。
図１３（Ａ）（Ｂ）に示すように、フィルタバッグ３３の開口部域に２つの切り込み３４を入れることにより一対の帯状フィルタ部３５を形成し、帯状フィルタ部３５の少なくとも基端部に熱加工などによって補強部３７を形成して強度を高めてある。そして、図１３（Ｃ）に示すように所定の方法によりフィルタ取付具９を開口部域に取り付け、一対の帯状フィルタ部３５を取っ手３６として使用する。
【００６４】
なお、図１３（Ｂ）に示す状態から図１３（Ｃ）に示す状態にする一方法として、帯状フィルタ材３５を形成したフィルタ材の端部域３８（図１３（Ｂ）参照）によってフィルタ取付具を包んだ後、その端部域３８をバッグフィルタの内面のフィルタ材に熱シール加工などによって融着させることによって製造する方法がある。
【図面の簡単な説明】
【００６５】
【図１】図１（Ａ）〜（Ｃ）はそれぞれ第１実施形態に係る２枚構成のバッグフィルタの縦断面図である。
【図２】図２は第２実施形態に係るバッグフィルタの縦断面図である。
【図３】図３は第３実施形態に係るバッグフィルタの縦断面図である。
【図４】図４（Ａ）〜（Ｅ）はそれぞれ第４実施形態を説明するための図であり、２枚構成のバッグフィルタ製造方法を説明するための図である。
【図５】図５（Ａ）（Ｂ）はそれぞれ第４実施形態の変形例であり、フィルタ取付具を装着する工程を設けたバッグフィルタ製造方法を説明するための図である。
【図６】図６（Ａ）〜（Ｅ）はそれぞれ第５実施形態を説明するための図であり、２枚構成のバッグフィルタ製造方法を説明するための図である。
【図７】図７（Ａ）〜（Ｄ）はそれぞれ第６実施形態を説明するための図であり、４枚構成のバッグフィルタ製造方法を説明するための図である。
【図８】図８（Ａ）〜（Ｃ）はそれぞれ本発明の第７実施形態に係るバッグフィルタを説明するための図である。
【図９】図９（Ａ）〜（Ｃ）はそれぞれ本発明の第８実施形態に係るバッグフィルタを説明するための図である。
【図１０】図１０は本発明に係るバッグフィルタ製造方法の変形例を説明するための図である。
【図１１】図１１は本発明に係るバッグフィルタ製造方法の変形例を説明するための図である。
【図１２】図１２は従来の渦巻き状に巻いたフィルタ層を配置するフィルタ装置の一例を示す図である。
【図１３】図１３（Ａ）〜（Ｄ）はそれぞれ本発明の第１０実施形態に係るバッグフィルタを説明するための図である。
【符号の説明】
【００６６】
１…バッグフィルタ、２…内側バッグフィルタ、３…外側バッグフィルタ、４…内側フィルタ材、５…外側フィルタ材、６…内面、７…外面、９…フィルタ取付具、１１…フィルタ端部環状片、１６…バックフィルタ基材、２１…繋ぎ合わせ位置、２５…開閉自在部材、２６…マジックテープ、２７…一方側係合部、２８…他方側係合部、２９…当て部、３０…周縁部、３１…周縁部。
【図１】
2005177616.tif 000003
【図２】
2005177616.tif 000004
【図３】
2005177616.tif 000005
【図４】
2005177616.tif 000006
【図５】
2005177616.tif 000007
【図６】
2005177616.tif 000008
【図７】
2005177616.tif 000009
【図８】
2005177616.tif 000010
【図９】
2005177616.tif 000011
【図１０】
2005177616.tif 000012
【図１１】
2005177616.tif 000013
【図１２】
2005177616.tif 000014
【図１３】
2005177616.tif 000015